(57)【要約】【課題】凸条縁と凹条溝との嵌合により蓋体を容器本体に被着する容器において、凹条溝内の空気抜きを行いながら嵌合でき、しかもひけ細り等の変形が生じた場合にも、密封性を良好に保持できるようにする。【解決手段】容器本体１０の開口端部１１と蓋体２０の周縁部２１とに、互いに嵌合する凸条縁１２と凹条溝２２とを設け、凸条縁の外側面１２ａと、凹条溝の外側の側面２２ａとに係合凸部１５と係合凹部２５を設け、凹条溝における側面２２ａに切欠溝２６を形成し、切欠溝２６内の凹条溝の開口端側に切欠溝２６の深さより高さの低い凸状部２７を設け、凸条縁１２における切欠溝２６と対応する外側面１２ａに、切欠溝２６に嵌合するリブ状凸部１７を設け、凸状部２７とリブ状凸部１７とに、凸条縁１２と凹条溝２２との嵌合状態においてすり合わせ状態で接する斜面２７ａ，１７ａを形成する。【選択図】図５
2010163181.tif 000002
【特許請求の範囲】
【請求項１】
上方に開口する容器本体と、該容器本体に対し被着自在な蓋体とからなり、前記容器本体の開口端部と蓋体の周縁部とに、全周にわたって連続して互いに嵌合する凸条縁と凹条溝とが設けられるとともに、前記凸条縁の少なくとも外側面の端部と、これに対応する前記凹条溝の外側の側面の基部側とに、互いに弾力的に嵌合する係合凸部と係合凹部が設けられてなる発泡樹脂製の容器において、
前記凹条溝における外側の溝内側面の少なくとも１個所に、上下方向に通して空気逃がし用の切欠溝が形成されるとともに、少なくとも一つの切欠溝内の前記凹条溝の開口端側の部分に該切欠溝の深さより高さの低い凸状部が設けられ、また、前記凸条縁における前記切欠溝と対応する外側面の個所には、該凸条縁の基部側の部分に前記切欠溝内に嵌合するリブ状凸部が設けられ、前記切欠溝側の凸状部と前記凸状縁側のリブ状凸部とに、前記凸条縁と前記凹条溝との嵌合状態において互いにすり合わせ状態で当接する斜面が設けられてなることを特徴とする発泡樹脂製の容器。
【請求項２】
前記切欠溝内の前記凸状部が前記係合凹部より前記凹条溝の開口端側に、前記凸条縁側のリブ条凸部が前記係合凸部より凸条縁の基部側に、それぞれ設けられてなる請求項１に記載の発泡樹脂製の容器。
【請求項３】
前記凸状部の前記切欠溝の内底面からの高さが、該切欠溝の深さ寸法から前記係合凸部の高さ寸法分を減じた寸法と同高さ、もしくはその前後の高さに設定されてなる請求項１または２に記載の発泡樹脂製の容器。
【請求項４】
前記凸状部の斜面及びリブ状凸部の斜面が、それぞれ前記凹条溝の外側壁部と前記凸条縁より外側に有する切欠段部との突き合わせ面に連続して形成されてなる請求項１〜３のいずれか1項に記載の発泡樹脂製の容器。
【請求項５】
前記凹条溝の内側の側面と前記凸条縁の内側面とが、容器開口面に垂直の面に対して傾きのある傾斜面とされ、すり合わせ嵌合可能に設けられてなる請求項１〜４のいずれか1項に記載の発泡樹脂製の容器。
【発明の詳細な説明】
【技術分野】
【０００１】
本発明は、農産物や水産物の輸送、保管に使用される保冷容器として好適な発泡樹脂製の容器に関するものである。
【背景技術】
【０００２】
農産物や水産物の輸送、保管に使用される保冷容器として、上方に開口した容器本体と、その開口端部に嵌合されて被着される蓋体とからなる発泡樹脂製の容器が使用されている。
【０００３】
かかる容器は、容器本体の開口端部に対する蓋体の被着構造として、容器本体の側壁上端の開口端部と、これに対応する蓋体の周縁部下面とに、互いに嵌合する凸条縁と凹条溝とが設けられ、蓋体を嵌合状態で被着できるようになっている。一般には、前記容器本体の開口端部の外側を全周にわたって切欠して内側に前記凸状縁が形成され、また前記蓋体の周縁部下面に前記凸条縁に嵌合する凹条溝が周方向に連続して形成されていることが多い。従来、前記凸条縁と凹条溝との嵌合のみでは、蓋体の被着状態が不安定になるため、蓋体と容器本体の突き合わせ部を接着テープで止めるようにしていた。
【０００４】
前記の接着テープの使用は被蓋操作及び開蓋操作に手数がかかるなどの問題もあることから、近年、前記凸条縁と凹条溝との嵌合状態を安定化させて接着テープ止めを不要にするために、前記凸条縁の側面の端部側にアンダーカット形状の凸部を設け、他方、凹条溝の内側面に前記凸部に対応した凹部を設けて、該凸部と凹部の嵌合により係合状態で嵌合するようにした容器が利用されることが多くなっている。
【０００５】
前記の容器の使用において、蓋体を容器本体の開口端部に嵌合して被着する際、前記凹条溝が前記凸条縁に嵌合する過程で、凸条縁の溝内の空気が抜け難くなり、嵌合不良が生じたり、浮きが発生することになって、密封性を損なう虞がある。特に、嵌合状態を安定させるために嵌合面となる凸条縁の側面と凹条溝の側面とに互いに嵌合する前記凸部と凹部が設けられていると、前記凸部が凹部に嵌り込むまでに、他方の側面に対して弾力的に強く圧接することになって、前記凹条溝内の空気がさらに抜け難くなり、前記の問題が生じ易いものである。
【０００６】
そのため、前記凸条縁と凹条溝との嵌合により蓋体を容器本体の開口端部に被着する容器において、前記凹条溝内の空気抜きのために、凹条溝の内側面に断面凹形の切欠溝を形成して、前記嵌合操作の際に凹条溝内の空気を逃がせるようにし、嵌合による蓋体被着操作を容易に行えるようにした容器が提案されている（特許文献１）。
【０００７】
しかしながら、前記提案のように断面凹形の比較的単純な溝を設けた場合には、蓋体被着時の嵌合操作は比較的容易に行えるものの、蓋体被着状態つまり嵌合状態において、発泡体のひけ細りや反り等の変形が生じて、前記凹条溝の外側壁部と凸条縁の外側の切欠段部との突き合わせ部分に隙間が生じると、該隙間が前記切欠溝の部分で内部に連通することになって、密封性が損なわれる虞がある。
【０００８】
特に、前記樹脂発泡体のひけ細りや反り等による変形が、前記切欠溝以外の部分で生じた場合にも、前記外側壁部との切欠段部との突き合わせ部分の内方の隙間が前記切欠溝の部分に通じることになって、容器の密封性を損なうことになる。
【０００９】
したがって、かかる凸条縁と凹条溝との嵌合を利用する容器においては、嵌合操作の際の空気抜き作用を良好に行えること、そして嵌合状態における密封性を良好に保持できることが望まれる。
【先行技術文献】
【特許文献】
【００１０】
【特許文献１】特開２００７−３０８１４０号公報
【発明の概要】
【発明が解決しようとする課題】
【００１１】
本発明は、上記に鑑みてなしたものであり、容器本体の開口端部と蓋体の周縁部下面とに互いに嵌合する凸条縁と凹条溝とを備え、かつ該凸条縁の側面と、これに対応する前記凹条溝の側面とに、互いに嵌合するアンダーカット形状の係合凸部とこれに対応する係合凹部が設けられてなる容器において、蓋体被着時の嵌合操作の際の凹条溝内の空気抜き作用を良好にして容易にかつスムーズに嵌合でき、しかも、蓋体を被着した状態、すなわち前記凸条縁と凹条縁との嵌合状態においては、樹脂発泡体のひけ細りや反り等の変形が生じて、前記容器本体の開口端部と蓋体の周縁部との突き合わせ部分に隙間が生じても、前記切欠溝の部分での容器内部との連通を抑制できて、密封性を良好に保持できるようにした発泡樹脂製の容器を提供しようとするものである。
【課題を解決するための手段】
【００１２】
上記の課題を解決する本発明は、上方に開口する容器本体と、該容器本体に対し被着自在な蓋体とからなり、前記容器本体の開口端部と蓋体の周縁部とに、全周にわたって連続して互いに嵌合する凸条縁と凹条溝とが設けられるとともに、前記凸条縁の少なくとも外側面の端部と、これに対応する前記凹条溝の外側の側面の基部側とに、互いに弾力的に嵌合する係合凸部と係合凹部が設けられてなる発泡樹脂製の容器において、前記凹条溝における外側の側面の少なくとも１個所に、上下方向に通して空気逃がし用の切欠溝が形成されるとともに、少なくとも1個所の切欠溝内の前記凹条溝の開口端側の部分に該切欠溝の深さより高さの低い凸状部が設けられ、また、前記凸条縁における前記切欠溝と対応する外側面の個所には、該凸条縁の基部側の部分に前記切欠溝内に嵌合するリブ状凸部が設けられ、前記切欠溝側の凸状部と前記凸状縁側のリブ状凸部とが、前記凸条縁と前記凹条溝との嵌合状態において互いにすり合わせ状態で接する斜面が形成されてなることを特徴とする。
【００１３】
この容器によれば、前記凸条縁と凹条溝との嵌合により蓋体を容器本体に被着する際に、前記凹条溝内の空気を切欠溝を通じて逃がすことができ、スムーズにかつ容易に安定性よく嵌合できる。そして、前記のように前記凸条縁と凹条溝との嵌合により蓋体を容器本体に対して被着した状態では、前記係合凹部と係合凸部とが嵌合し係合状態になることで、蓋体の被着状態を安定性よく良好に保持でき、接着テープ止めを不要にできる。
【００１４】
しかも、前記蓋体の被着状態において、前記凹条溝の外側壁部が前記凸条縁の外側の切欠段部に対して突き合わされるとともに、前記切欠溝内の凸条部の斜面がリブ状凸部の斜面に対して弾力的にすれ合わせ状態に接して嵌合しているために、発泡樹脂材のひけ細りや反り等が生じて前記突き合わせ部分に隙間を生じるように変形しても、該切欠溝の部分では殆ど隙間が生じないことになり、しかも切欠溝内に前記リブ状凸部が嵌合していることで、切欠溝の両側端からの通気も抑制できることになり、ひいては密封性を良好に確保できる。
【００１５】
前記の発泡樹脂製の容器において、前記切欠溝内の前記凸状部が前記係合凹部より前記凹条溝の開口端側に、前記凸条縁側のリブ条凸部が前記係合凸部より凸条縁の基部側に、それぞれ設けられてなるものとする。
【００１６】
前記の発泡樹脂製の容器において、前記凸状部の前記切欠溝の内底面からの高さが、該切欠溝の深さ寸法から前記係合凸部の高さ寸法分を減じた寸法と同高さ、もしくはその前後の高さに設定されてなるものが好ましい。
【００１７】
前記の発泡樹脂製の容器において、前記凸状部の斜面及びリブ状凸部の斜面が、それぞれ前記凹条溝の外側壁部と前記凸条縁より外側に有する切欠段部との突き合わせ面に連続して形成されてなるものが特に好ましい。
【００１８】
前記の発泡樹脂製の容器において、前記凹条溝の内側の側面と前記凸条縁の内側面とが、容器開口面に垂直の面に対して傾きのある傾斜面とされ、すり合わせ嵌合可能に設けられてなるものとすることができる。これにより、蓋体被着時用体において蓋体に少々の浮きが生じても、前記凹条溝の内側の側面と前記凸条縁の内側面との間には殆ど隙間が生じず、密封性を良好に保持できる。
【発明の効果】
【００１９】
本発明の発泡樹脂製の容器によれば、前記凸条縁と凹条溝との嵌合により蓋体を容器本体に被着する際に、前記凹条溝内の空気を切欠溝を通じて逃がすことができ、スムーズにかつ安定性よく嵌合できる。そして、前記のように前記凸条縁と凹条溝との嵌合により蓋体を容器本体に対して被着した状態においては、前記凹条溝の外側壁部が前記凸条縁の外側の切欠段部に対して突き合わされるとともに、前記切欠溝内の凸条部の斜面がリブ状凸部の斜面に対しすり合わせ状態で接して嵌合しているために、樹脂発泡体のひけ細りや反り等の変形が生じて、前記容器本体の開口端部と蓋体の周縁部との突き合わせ部分に隙間が生じても、該切欠溝の部分では殆ど隙間が生じないことになり、しかも切欠溝内に前記リブ状凸部が嵌合していることで、切欠溝の両側端からの通気も抑制できることになり、ひいては密封性を良好に保持できる。
【図面の簡単な説明】
【００２０】
【図１】本発明にかかる発泡樹脂製の容器の容器本体と蓋体（裏返して示す）を分離した斜視図である。
【図２】同上の容器の容器本体の平面図である。
【図３】同上の容器の裏返した蓋体の下面側の平面図である。
【図４】同上の容器における容器本体の外面側上方から見た一部の拡大斜視図（ａ）と、蓋体の内面側下方から見た一部の拡大斜視図（ｂ）である。
【図５】同上の容器の容器本体に蓋体を嵌合被着した状態の図２のＡ−Ａ線における一部（切欠溝の部分）の拡大断面図である。
【図６】同上の容器本体と蓋体の図２のＢ−Ｂ線における一部（切欠溝以外の部分）の嵌合前（ａ）と嵌合状態（ｂ）の拡大断面図である。
【図７】同上の図２のＡ−Ａ線における一部（切欠溝の部分）の嵌合前（ａ）と嵌合途中（ｂ）の拡大断面図である。
【図８】本発明の他の実施例の切欠溝部分の嵌合途中の拡大断面図である。
【図９】本発明のさらに他の実施例の切欠溝部分の拡大断面図である。
【発明を実施するための形態】
【００２１】
次に本発明の実施の形態を図面に示す実施例に基づいて説明する。
【００２２】
この実施例の容器は、発泡ポリスチレン等の発泡樹脂を素材として成形された容器であって、上方に開口する平面矩形の容器本体１０と、該容器本体１０に対し被着自在な蓋体２０とよりなる。
【００２３】
図1〜図７の実施例の前記容器において、容器本体１０の側壁上端部による開口端部１１と、前記蓋体２０の周縁部２１の下面とに、全周にわたって連続して互いに嵌合する凸条縁１２と凹条溝２２とが設けられている。通常は、図のように、前記容器本体１０の開口端部１１の外側の約半部が全周にわたって切欠されることにより切欠段部１３が形成され、該切欠段部１３より内側の約半部が前記凸状縁１２として形成されている。また、前記蓋体２０の周縁部２１の下面には、蓋体被着状態において前記凸条縁１２に嵌合する凹条溝２２が周方向に連続して形成されており、該凹条溝２２の外側壁部２３が前記切欠段部１３に嵌合し、また該凹条溝２２の内側壁部２４が前記凸条縁１２の内側に嵌合するようになっている。前記内側壁部２４は外側壁部２３より長く形成しておくこともできる。
【００２４】
前記容器本体１０の開口端部１１に前記凹条溝を、前記蓋体２０の周縁部下面に前記凸条縁を設けて実施することもできるが（図示せず）、この場合、上方向きに開口する前記凹条溝内にゴミなどが溜まり易くなるので、実施上は、図示するように容器本体１０の開口端部１１に凸条縁１２、蓋体２０の周縁部下面に凹条溝２２を設けておくのが好ましい。図中の符号１４ａは容器本体１０の短辺側の相対向する側壁、符号１４ｂは長辺側の側壁を示している。
【００２５】
前記凸条縁１２の少なくとも外側面１２ａの端部（上端部）の側には、周方向に連続して断面円弧状の凸状をなす係合凸部１５が設けられ、これに対応する前記凹条溝２２の外側の側面２２ａの基部側には、前記係合凸部１５が発泡樹脂材の弾性変形を利用して弾力的に嵌合し係合する凹状をなす断面円弧状の係合凹部２５が設けられており、前記凸条縁１２と凹条溝２２の嵌合時に該係合凸部１５と係合凹部２５とが嵌合することで、嵌合状態を安定性よく良好に保持できるようになっている。前記係合凸部１５の突出高さ、及び前記係合凹部２５の深さは、前記発泡樹脂材の弾性変形を利用した弾力的な嵌合操作が可能で、かつ嵌合状態を良好に保持できるように設定される。
【００２６】
前記凸条縁１２の内側面１２ｂと、これに対応する前記凹条溝２２の内側の側面２２ｂにも前記同様の円弧状の係合凸部と係合凹部を設けておくことも可能であるが、図示する実施例の場合、前記凹条溝２２の内側の側面２２ｂと前記凸条縁１２の内側面１２ｂとは、それぞれ前記開口端部１１による容器開口面に垂直の面に対して僅かに傾きのある傾斜面、すなわち前記凹条溝２２の溝幅が開口側ほど大きくなるように、また凸条縁１２の幅が基部側ほど大きくなる傾斜面とされ、該傾斜面の傾斜を利用して弾力的にすり合わせ状態で嵌合するように形成されている。これにより、蓋体２０に少々の浮きが生じても、前記両面が接触状態を保持できて気密性を損なわないようになっている。
【００２７】
そして、前記凹条溝２２の外側の側面２２ａには、少なくとも１個所、好ましくは図のように相対向する短辺の少なくとも一方側の側辺（図の場合は両方の側辺）の個所に、上下方向（凹条溝の深さ方向）に通して空気逃がし用の切欠溝２６が、前記係合凹部２５よりも深い深さ、通常は前記係合凹部２５の深さの２倍以上の深さｄ２で形成されている。前記切欠溝２６は、相対向する長辺の少なくとも一方側の個所に設けることも、四方の各側辺の個所に設けることもできる。
【００２８】
さらに、少なくとも１個所の切欠溝２６、好ましくは対向する側辺の少なくとも一方側の切欠溝２６、さらに好ましくは全部の切欠溝２６（図の場合は両短辺の切欠溝２６）の内底面２６ａには、前記凹条溝２２の開口端側の部分に、該切欠溝２６の深さより高さの低い断面三角状をなしてかつ該切欠溝２６の幅方向に延びる凸状部２７が設けられ、該凸条部２７の前記凹条溝２２の開口端側（下部側）の部分が外側壁部２３の端面（下端面）から連続する斜面２７ａをなしている。前記凸状部２７の前記凹条溝２２の内奥側（上部側）の面２７ｂについても、図のように傾斜面にしておくのが好ましい。
【００２９】
また、前記凸条縁１２における前記凸条部２７を有する切欠溝２６と対応する外側面の個所には、該凸条縁１２の基部側の部分に前記切欠溝２６内に嵌合しかつ前記切欠段部１３に連続した斜面１７ａを有する断面三角状のリブ状凸部１７が設けられており、該リブ状凸部１７の前記斜面１７ａが前記凸状部２７の斜面２７ａに対してすり合わせ状態で当接し嵌合するようになっている。
【００３０】
すなわち、前記凸条縁１２と前記凹条溝２２との嵌合状態において、前記凸条縁１２側のリブ状凸部１７と前記切欠溝２６側の凸状部２７とが、前記斜面１７ａ，２７ａにより互いにすり合わせ状態で、特には発泡樹脂材の弾力性を利用して弾力的にすり合わせ状態で嵌合することにより、少々の蓋体２０の浮き上がりに対しても殆ど隙間を生じないように設けられている。
【００３１】
前記凸条部２７の斜面２７ａ及びリブ状凸部１７の斜面１７ａの傾斜角度は、嵌合操作時の空気抜き作用や密封性を考慮して適宜設定できるが、発泡樹脂のひけ細りや反り等の変形による浮き等が生じたときの密封性を確保する上では、前記切欠段部１３の面に対して３０°以上、好ましく４５°以上の傾斜角に設定するのがよい。なお、前記傾斜角が大きくなるほど嵌合操作時の空気抜き作用が行われ難くなるので、実施上は４５°〜７０°の範囲が好ましい。図１〜図７の実施例の場合、前記凸条縁１２側のリブ状凸部１７は、前記係合凸部１５の下端から連続して形成されているが、これに限らず、前記係合凸部１５と間隔を空けて設けておくこともできる。
【００３２】
また、前記凸状部２７の切欠溝２６の内底面２６ａからの高さｈ１は、凸条縁１２と凹条溝２２の嵌合操作時の空気逃がしの作用を阻害しないように、すなわち前記嵌合の過程において凸条縁１２側の係合凸部１５に接触しないで空隙を保有できるように、前記切欠溝２６の深さに比してある程度低く設定する。特に好ましくは、前記切欠溝２６の深さ寸法ｄ２から、前記係合凸部１５の高さ寸法（係合凹部２５の深さ寸法）ｄ１を減じた寸法と同じ高さ、もしくはその前後の高さに設定する。例えば、前記切欠溝２６の深さ寸法ｄ２の１／２程度の高さｈ１にすることにより、嵌合操作の際には、前記係合凸部１５の部分でも、該切欠溝２６内に少なくとも前記深さ寸法ｄ２の１／２程度の空隙を保有できることになる。
【００３３】
前記凸状部２７の斜面２７ａ及びリブ状凸部１７の斜面１７ａが、それぞれ前記凹条溝２２の外側壁部２３と前記凸条縁１２より外側の切欠段部１３との突き合わせ面に連続して形成されることで、嵌合状態での密封性を良好に確保できる。
【００３４】
図中の符号１８は蓋体２０の開蓋操作用の切欠部であり、符号１９は容器を持ち運びする際の手掛け部である。
【００３５】
図８の実施例は、基本的に上記した実施例と同様にして、切欠溝２６内の凸状部２７の断面形状を変更し、断面が台形状をなすように形成した場合を示している。この実施例においても、容器本体１０に対し蓋体を被着した状態においては、前記凸条部２７の下部側の斜面２７ａが凸条縁１２の基部に設けられたリブ状凸部１７の斜面１７ａに対しすり合わせ状態で接して嵌合することになる。この実施例の場合も、前記凸条部２７の高さ寸法等については上記の実施例と同様に設定できる。
【００３６】
図９の実施例は、前記凹条溝２２の外側の側面２２ａに形成した切欠溝２６を該凹条溝２２の内奥面にまで延長形成し、さらに、前記凸条縁１２側の外側面１２ａの基部に前記係合凸部１５と間隔を空けて切欠段面１３に連続する斜面１７ａが比較的に緩傾斜のリブ状凸部１７を設け、他方、前記切欠溝２６内における凸条部２７を前記リブ状凸部１７の斜面１７ａに対応した斜面２７ａを有する断面三角状に形成した場合を示している。この実施例の場合も、前記凸条部２７の高さ寸法等については上記した実施例と同様に設定する。
【００３７】
前記容器本体１０及び蓋体２０の構成材である発泡樹脂としては、スチレン改質ポリオレフィン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。中でも、スチレン改質ポリオレフィン系樹脂のビーズ発泡体による成形体が好適に用いられる。スチレン改質ポリオレフィン系樹脂は、ポリオレフィン系樹脂粒子にスチレン系単量体を含浸重合させて得られるものであり、スチレン改質ポリオレフィン系樹脂の中でも、スチレン改質ポリエチレン樹脂が好ましく、例えば、スチレン成分の割合は４０〜９０重量％、好ましくは５０〜８５重量％、さらに好ましくは５５〜７５重量％のものが用いられる。また、前記発泡体の発泡倍率は１０〜７０倍が好ましい。
【００３８】
スチレン改質ポリオレフィン系樹脂のビーズ発泡体の成形品は、同じ発泡倍率のポリプロピレン系樹脂ビーズの成形品に比べて強度があり、また、深さが５００ｍｍを越える容器を成形した場合の収縮率が低く寸法精度もよい。さらに、スチレン系樹脂ビーズの発泡成形品に比べて擦れによる粉が出難い長所もある。
【００３９】
上記した実施例の発泡樹脂製の容器によれば、容器本体１０の開口端部１１に有する前記凸条縁１２と、蓋体２０の周縁部２１の下面側に有する凹条溝２２との嵌合により、蓋体２０を容器本体１０に被着する際、前記凹条溝２２の外側の側面２２ａにする切欠溝２６を通じて前記凹条溝２２内の空気を逃がしながら容易に嵌合操作できる。特に、前記凸条縁１２と凹条溝２２とに、周方向に連続して係合凸部１５と係合凹部２５が設けられていても、前記切欠溝２６の部分で前記凹条溝２２内の空気を逃がしながら容易に嵌合できる。また、前記切欠溝２６内に凸状部２７を有するものの、該凸状部２７の高さ寸法ｈ１が前記切欠溝２６の深さ寸法ｄ２より低く、かつ頂部が前記係合凹部２５の位置より端部（下端部）の側にあることで、前記嵌合の過程において該切欠溝２６の部分に空気逃がしのための空隙を保有でき〔図７の（ｂ）〕、空気逃がしの機能を良好に保持できる。
【００４０】
こうして、図５のように、前記凹条溝２２の外側壁部２３が凸条縁１２の外側の切欠段部１３に対し突き合わせ状態になる位置に確実に嵌合できる。特に、前記の嵌合状態においては、前記凸条縁１２の外側面１２ａに有する係合凸部１５が、前記凹条溝２２の外側の側面２２ａに有する係合凹部２６に嵌合し係合することにより、安定性のよい被着状態に保持でき、接着テープ止めを不要にできる。
【００４１】
本発明の場合は、前記の嵌合による蓋体２０の被着状態においては、前記切欠溝２６内の凸状部２７の斜面２７ａがリブ状凸部１７の斜面１７ａに対してすり合わせ状態で嵌合しているために、発泡樹脂材のひけ細りや反り等の変形により、前記外側壁部２３と切欠段部１３との突き合わせ部分に隙間を生じることがあっても、該切欠溝２６の部分に凸条縁１２側のリブ状凸部１７が嵌合しており、しかも、該リブ状凸部１７と前記切欠溝１６内の凸状部２７の斜面１７ａ，２７ａにより、すり合わせ状態で弾力的に接して嵌合しているため、前記リブ状凸部１７と凸状部２７の間に殆ど隙間が生じないばかりか、前記リブ状の凸部１７が前記切欠溝２６における凹条溝２２の開口側の端部を塞いだ状態になり、このため、切欠溝の両側端からの通気も抑制できることになり、ひいては密封性を良好に確保できる。
【産業上の利用可能性】
【００４２】
本発明の発泡樹脂製の容器は、農産物や水産物の輸送、保管に使用される保冷容器その他の物流容器として、また冷凍食品や食材を保冷しながら輸送するコンテナ等に好適に使用することができる。
【符号の説明】
【００４３】
１０…容器本体、１１…開口端部、１２…凸条縁、１２ａ…外側面、１２ｂ…内側面、１３…切欠段部、１４ａ…長辺側の側壁、１４ｂ…短辺側の側壁、１５…係合凸部、１７…リブ状凸部、１７ａ…斜面、２０…蓋体、２１…周縁部、２２…凹条溝、２２ａ…外側の側面、２２ｂ…内側の側面、２３…外側壁部、２４…内側壁部、２５…係合凸部、２６…切欠溝、２６ａ…内底面、２７…凸状部、２７ａ…斜面。
【図１】
2010163181.tif 000003
【図２】
2010163181.tif 000004
【図３】
2010163181.tif 000005
【図４】
2010163181.tif 000006
【図５】
2010163181.tif 000007
【図６】
2010163181.tif 000008
【図７】
2010163181.tif 000009
【図８】
2010163181.tif 000010
【図９】
2010163181.tif 000011